(57)【要約】【課題】耐タンパー性を向上させることが可能なＦＰＣを提供する。【解決手段】本発明のＦＰＣ１は、通信信号が入力される信号線パターン２と、信号線パターンの上下の面に対向するように設けられ、信号線パターン２と同じ幅、もしくは信号線パターン２よりも広い幅を有する信号保護線パターン３、４とを有するフレキシブルプリントケーブルであって、耐タンパー性を要求される領域内の前記信号線パターンに沿って前記信号保護線パターンが設けられている。【選択図】図１
2013020704.tif 000002
【特許請求の範囲】
【請求項１】
通信信号が入力される信号線パターンと、
前記信号線パターンの上下の面に対向するように設けられ、前記信号線パターン２と同じ幅、もしくは前記信号線パターンよりも広い幅を有する信号保護線パターンとを有するフレキシブルプリントケーブルであって、
耐タンパー性を要求される領域内の前記信号線パターンに沿って前記信号保護線パターンが設けられていることを特徴とするフレキシブルプリントケーブル。
【請求項２】
請求項１に記載のフレキシブルプリントケーブルを備える情報処理装置であって、
前記信号保護線パターンの電位の変化を検知する検知部と、
前記検知部に接続され、前記検知部が前記電位の変化を検知すると、不正接続が行われたことを通知する不正接続情報を生成する不正接続情報生成部と、
を備える制御部を有することを特徴とする情報処理装置。
【請求項３】
前記不正接続情報を受信すると、前記信号線パターンに接続されたユニットの動作を停止する処理および／または自身が有する重要情報を消去する処理を行うことを特徴とする請求項２記載の情報処理装置。
【請求項４】
前記信号保護線パターンに接続され、前記信号線パターンとは異なる電圧を前記信号保護線パターンに印加する電源と、
前記信号保護線パターンに接続され、前記信号保護線パターンを接地する接地部と、
前記信号保護線パターンに接続され、前記信号保護線パターンの電位を調整する抵抗部と、
を有することを特徴とする請求項２もしくは３に記載の情報処理装置。
【請求項５】
前記信号保護線パターンは、前記信号線パターンの一方の面に対向するように設けられた第１の信号保護線パターンと、
前記信号線パターンの他の面に対向するように設けられた第２の信号保護線パターンと、
を有し、
前記第１の信号保護線パターンと、前記第２の信号保護線パターンは、互いに異なる電位を有するように構成されていることを特徴とする請求項２〜４のいずれか一項に記載の情報処理装置。
【請求項６】
前記第１の信号保護線パターンは、第１の電源側抵抗素子を介して前記電源と接続され、第１の接地側抵抗素子を介して前記接地部と接続され、
前記第２の信号保護線パターンは、第２の電源側抵抗素子を介して前記電源と接続され、第２の接地側抵抗素子を介して前記接地部と接続され、
前記第１、第２の電源側抵抗素子と、前記第１、第２の接地側抵抗素子は、
前記第１の信号保護線パターンの、前記第１の電源側抵抗素子と前記第１の接地側抵抗素子の間の電位が、前記第２の信号保護線パターンの、前記第２の電源側抵抗素子と前記第２の接地側抵抗素子の間の電位よりも前記接地部の電位に近い値になるような電気抵抗値を有することを特徴とする請求項５記載の情報処理装置。
【請求項７】
前記信号線パターンは複数設けられ、
前記電源は、隣接する前記信号保護線パターン同士で異なる電位を印加することを特徴とする請求項２〜６のいずれか一項に記載の情報処理装置。
【請求項８】
前記電源は、定電圧または動的に変化する電圧を印加する電源であることを特徴とする請求項４に記載の情報処理装置。
【請求項９】
前記信号線パターンおよび前記信号保護線パターンを隔てるように、かつ覆うように設けられた絶縁層を有することを特徴とする請求項１に記載のフレキシブルプリントケーブル。
【請求項１０】
通信信号が入力される信号線パターンと、
前記信号線パターンの上下の面のいずれかのみに対向するように設けられ、前記信号線パターン２と同じ幅、もしくは前記信号線パターンよりも広い幅を有する信号保護線パターンとを有するフレキシブルプリントケーブルであって、
耐タンパー性を要求される領域内の前記信号線パターンに沿って前記信号保護線パターンが設けられていることを特徴とするフレキシブルプリントケーブル。
【発明の詳細な説明】
【技術分野】
【０００１】
本発明はフレキシブルプリントケーブルおよび当該フレキシブルプリントケーブルを備えた情報処理装置に関する。
【背景技術】
【０００２】
近年、回路基板やＩＣチップ、あるいは基板間を接続するコネクタやケーブル等の、通信信号を送受信する部品に対して、タンパー行為と呼ばれる不正接続により、通信信号を不正に読み出す行為が問題とされており、タンパー行為を防止する構造が要求されている。
【０００３】
特に、クレジットカード決済端末やＡＴＭのように、個人の情報、特に金銭や財産に関わる情報を直接取り扱う情報処理装置においては、その情報がタンパー行為により盗まれたり不正に使用されたりすることのないよう、高度なセキュリティが求められる。
【０００４】
タンパー行為を防止する構造としては、タンパー行為の対象となり得る部品を覆って外部からの不正接続を困難にする構造や、不正接続をしようとして部品を外すと装置自体が破損する構造が知られている（特許文献１）。
【０００５】
また、タンパー行為の防止構造ではないが、ケーブル内の配線と外部の導体とが接触して短絡するのを防止するため、配線の周囲を所定の電圧が印加された筒状の導体層で覆い、導体層に外部の導体が接触して電圧が変化すると、これを短絡の前兆として警告を発する構造が知られている（特許文献２）。
【先行技術文献】
【特許文献】
【０００６】
【特許文献１】特開２００２−２１０１７９号公報
【特許文献２】特開平１０−１８８６８４号公報
【発明の概要】
【発明が解決しようとする課題】
【０００７】
しかしながら、特許文献１のような構造は、部品そのものの耐タンパー性を向上させるものではない上に、耐タンパー性を高くすればするほど装置全体としてコストが上昇し、また装置そのものが重厚になってしまうという問題があった。
【０００８】
また、フレキシブルプリントケーブル（以下、ＦＰＣと略す）のような通信信号線が一列に平坦に並ぶ構造においては、特許文献１のような配線全体を覆う部材や、特許文献２のような配線全体を覆う筒状の導体層を有する構造を適用するのは困難であり、またそのような構造では、薄型でフレキシブル性を有するというＦＰＣの構造的特性が損なわれる恐れがあった。
【０００９】
そのため、現状ではＦＰＣについては、不正な接続の防止が困難であり、ケーブル全体を厳重に保護された区画内に収めるか、ケーブルの使用そのものを避ける方法しかなかった。
【００１０】
また、装置の構成上、厳重な保護が困難な箇所にＦＰＣを適用し、そこに重要な通信信号を通さざるを得ない場合は、高度なセキュリティ性を付与することを断念するか、コストが上がるにも関わらずその外側に別の保護手段を設けるしかなかった。
【００１１】
本発明は上記課題に鑑みてなされたものであり、その目的は、耐タンパー性を向上させることが可能なＦＰＣを提供することにある。
【課題を解決するための手段】
【００１２】
前述した目的を達成するために、本発明の第１の態様は、通信信号が入力される信号線パターンと、前記信号線パターンの上下の面に対向するように設けられ、前記信号線パターン２と同じ幅、もしくは前記信号線パターンよりも広い幅を有する信号保護線パターンとを有するフレキシブルプリントケーブルであって、耐タンパー性を要求される領域内の前記信号線パターンに沿って前記信号保護線パターンが設けられていることを特徴とするフレキシブルプリントケーブルである。
【００１３】
本発明の第２の態様は、第１の態様に記載のフレキシブルプリントケーブルを備える情報処理装置であって、前記信号保護線パターンの電位の変化を検知する検知部と、前記検知部に接続され、前記検知部が前記電位の変化を検知すると、不正接続が行われたことを通知する不正接続情報を生成する不正接続情報生成部と、を備える制御部を有することを特徴とする情報処理装置である。
【００１４】
本発明の第３の態様は、通信信号が入力される信号線パターンと、前記信号線パターンの上下の面のいずれかのみに対向するように設けられ、前記信号線パターン２と同じ幅、もしくは前記信号線パターンよりも広い幅を有する信号保護線パターンとを有するフレキシブルプリントケーブルであって、耐タンパー性を要求される領域内の前記信号線パターンに沿って前記信号保護線パターンが設けられていることを特徴とするフレキシブルプリントケーブルである。
【発明の効果】
【００１５】
本発明によれば、耐タンパー性を向上させることが可能なＦＰＣを提供することができる。
【図面の簡単な説明】
【００１６】
【図１】ＦＰＣ１を示す断面斜視図である。
【図２】ＦＰＣ１を使用したユニットのハードウェア構成を示すブロック図である。
【図３】ＦＰＣ１を使用したユニットの配線図であって、信号線パターン２は記載を省略している。
【図４】ＦＰＣ１の平面図である。
【図５】図４の配線方向の断面図である。
【図６】図４の裏面図である。
【図７】ＦＰＣ１に対して不正接続が試みられた状態を示す図である。
【図８】ＦＰＣ１ａを使用したユニットのハードウェア構成を示すブロック図である。
【図９】ＦＰＣ１ｂを示す断面斜視図である。
【図１０】情報処理装置１００のハードウェア構成を示すブロック図である。
【図１１】図１０の情報処理装置制御部１１１を示すブロック図である。
【発明を実施するための形態】
【００１７】
以下、図面に基づいて本発明に好適な実施形態を詳細に説明する。
【００１８】
まず、図１〜３を参照して第１の実施形態に係るＦＰＣ１の概略構成について説明する。
【００１９】
図１〜３に示すように、ＦＰＣ１は、バス信号やデータ信号などの通信信号が入力される信号線パターン２と、信号線パターン２に対向するように設けられ、信号線パターン２と同じ幅、もしくは信号線パターン２よりも広い幅を有する信号保護線パターン３、４と、信号保護線パターン３、４に接続され、信号保護線パターン３、４の電位の変化を検知し、不正接続を監視する電子回路であるＦＰＣ制御部１０を有している。
【００２０】
図１〜６を参照してＦＰＣ１の構造についてさらに詳細に説明する。
【００２１】
図１に示すように、信号線パターン２と信号保護線パターン３、４は絶縁層５に覆われ、かつ互いに隔てられ、電気的に絶縁されている。
【００２２】
図４〜図６に示すように、信号保護線パターン３、４は両端で信号線パターン２を中心に幅方向に両側にオフセットして、コネクタ端子６が一列に並ぶようになっている。ＦＰＣ１は、耐タンパー性を要求される領域（図４の点線Ｘと点線Ｙ間の領域）では、信号線パターン２に沿って、その上下に、信号線パターン２よりも広い幅の信号保護線パターン３、４が設けられている。信号保護線パターン３、４は、信号線パターン２と同じ幅であってもよい。耐タンパー性を要求される領域を除く領域は、耐タンパー性を有するユニットの筐体で覆われる等の他の保護手段で保護される領域である。
【００２３】
信号線パターン２、信号保護線パターン３、信号保護線パターン４、および絶縁層５の幅、長さ、厚さ、材質等は、任意であり、例えば、信号線パターン２、信号保護線パターン３、４は銅、アルミニウム、銀、鉄、その他の金属、炭素系導電材料等で構成され、絶縁層５はポリエステル、ポリイミド、ポリエチレン、ポリアミド等の絶縁材料で構成されており、一般的な多層ＦＰＣの構造がそのまま適用できる。
【００２４】
図２は、ＦＰＣ１が、情報処理装置内の第１のユニット３０と第２のユニット３１を接続するために使用されている例を示している。
【００２５】
また、図２および図３に示すように、信号保護線パターン３、４は、一方の端部が、抵抗を通して定電圧（図３では５Ｖ）を印加する電源１５に接続され、他方の端部が、抵抗を通して接地用の接地部１７に接続され、さらに、ＦＰＣ制御部１０に接続されている。
【００２６】
信号保護線パターン３、４は電源１５と第１の電源側抵抗素子１１および第２の電源側抵抗素子１２を介してそれぞれ接続されており、さらに、接地部１７と第１の接地側抵抗素子１３および第２の接地側抵抗素子１４を介してそれぞれ接続されている。
【００２７】
図３では、電源１５の印加電圧が５Ｖであるのに対して第１の電源側抵抗素子１１の電気抵抗値は１ＭΩと、第１の接地側抵抗素子１３よりも大きく、第１の接地側抵抗素子１３の電気抵抗値は１０ｋΩと、第１の電源側抵抗素子１１よりも十分小さな値を有しており、信号保護線パターン３の（第１の電源側抵抗素子１１と第１の接地側抵抗素子１３の間の）電位が接地部１７の電位に近い電位、即ち０Ｖに近い電位になるような抵抗値になっている。
【００２８】
一方、第２の電源側抵抗素子１２の電気抵抗値は１００ｋΩであるのに対し、第２の接地側抵抗素子１４の電気抵抗値は１ＭΩと、第２の電源側抵抗素子１２よりも十分大きな値を有しており、信号保護線パターン４の（第２の電源側抵抗素子１２と第２の接地側抵抗素子１４の間の）電位が電源１５の電位に近い電位、ここでは５Ｖに近い電位になるような抵抗値になっている。
【００２９】
なお、信号線パターン２にはＦＰＣ１が接続する基板やユニット等の間で通信に用いられる通信信号が入力されるが、信号保護線パターン３、４の電位が通信信号の電位とは異なるように電源１５の電圧および各抵抗素子の抵抗値が設定されている。
【００３０】
ＦＰＣ制御部１０は信号保護線パターン３、４に接続され、信号保護線パターン３、４の電位の変化を検知する検知部２１と、検知部２１に接続され、検知部２１が電位の変化を検知した場合に、ＦＰＣ１が使用されている情報処理装置の制御部に対して不正接続が行われたことを通知する不正接続情報を生成・送信する不正接続情報生成部２３を有している。不正接続情報生成部２３は、通信線２４を通してＦＰＣ１が使用されている情報処理装置の制御部に接続されている。
【００３１】
不正通知情報を受信した情報処理装置の制御部は、例えば上記した基板やユニット等の動作を停止する処理や、当該機器が有する重要情報（不正接続により盗まれる可能性がある情報）を消去する処理を行う。不正接続が行われた場合は、これらの処理を行うことにより通信信号が不正に読み出されるのを防ぐことができる。なお、前記の処理は、二つの処理を行ってもよいし、いずれか一つの処理を行ってもよい。
【００３２】
次に、ＦＰＣ１、及びＦＰＣ制御部１０の動作について説明する。
【００３３】
まず、不正接続がされていない場合は、信号線パターン２には所定の電位の通信信号が入力され、信号保護線パターン３、４には電源１５から電圧を印加され、信号保護線パターン３は接地部１７の電位に近い電位に、信号保護線パターン４は電源１５の電位に近い電位に保持されている。
【００３４】
ここで、図７に示すように、何者かが外部から端子１０１、１０２、１０３、１０４を用いて信号線パターン２への不正接続を試みたとする。
【００３５】
この場合、端子は信号保護線パターン３、４を避けることができないため、以下に示すいずれかの状況になる。
【００３６】
（１）端子が信号保護線パターン３または信号保護線パターン４によって信号線パターン２への不正接続を阻まれる。
【００３７】
（２）端子が信号保護線パターン３または信号保護線パターン４の一方を切断する。
【００３８】
（３）端子が信号保護線パターン３または信号保護線パターン４の一方を切断して、信号線パターン２と不正接続する。
【００３９】
（４）端子が信号保護線パターン３または信号保護線パターン４の一方を切断して信号線パターン２と不正接続し、さらに反対側の信号保護線パターンも切断して、信号保護線パターン３、４を電気的に接触させる。
【００４０】
以下、それぞれの場合について説明する。
【００４１】
（１）は不正接続に失敗した状態であり、端子１０１に対応する。この状態では、通常は信号保護線パターン３、４の電位は変化しない。
【００４２】
（２）は端子１０２に対応する状態であり、信号保護線パターン３が切断された場合、切断前には０Ｖに近い電位だった電位が、第１の電源側抵抗素子１１を介して与えられる電位に変化する。
【００４３】
一方、信号保護線パターン４が切断された場合、切断前には電源１５の電圧に近かった電位が、第２の接地側抵抗素子１４を介して与えられる電位に変化する。
【００４４】
（３）は端子１０３に対応する状態であり、不正接続により、信号保護線パターン３、４の電位は信号線パターン２の電位、即ち通信信号に近い電位に変化する。
【００４５】
（４）は端子１０４に対応した状態であり、信号保護線パターン３、４の電位は第１の接地側抵抗素子１３を介して与えられる電位に変化する。
【００４６】
（２）〜（４）のいずれにおいても、検知部２１が電位の変化を検知すると、検知部２１はその旨を不正接続情報生成部２３に送信し、不正接続情報生成部２３が不正接続情報を生成し、ＦＰＣ１が使用されている情報処理装置の制御部に対して不正接続情報を送信する。
【００４７】
不正接続情報を受信した図示しない情報処理装置の制御部は不正接続情報に基づき、動作を停止したり、重要情報を消去したりする。
【００４８】
これにより、通信信号を不正に読み出されるのを防ぐことができ、重要情報を保護できる。
【００４９】
なお、上記第１の実施形態では、ＦＰＣ制御部を情報処理装置の制御部とは別に設けているが、ＦＰＣ制御部を別に設けず、情報処理装置の制御部の一部としてもよい。
【００５０】
このように、第１の実施形態によれば、ＦＰＣ１は、バス信号やデータ信号などの通信信号が入力される信号線パターン２と、信号線パターン２に対向するように設けられ、信号線パターン２と同じ幅、もしくは信号線パターン２よりも広い幅を有する信号保護線パターン３、４を有し、ＦＰＣ制御部１０は、信号保護線パターン３、４に接続され、信号保護線パターン３、４の電位の変化を検知し、不正接続を監視し、不正接続が試みられると、信号保護線パターン３、４が物理的に接続を阻むか、もしくはＦＰＣ制御部１０の検知部２１が信号保護線パターン３、４の電位の変化を検知し、不正接続情報生成部２３が不正接続情報を生成する。
【００５１】
そのため、通信信号を不正に読み出されるのを防ぐことができ、重要情報を保護できる。
【００５２】
また、第１の実施形態によれば、信号保護線パターン３、４は信号線パターン２と同様の配線パターンであるため、これを配置してもＦＰＣ１のフレキシブル性が失われることはなく、また低コストである。
【００５３】
そのため、ＦＰＣ１は、構造的特性を保ちつつ、安価に耐タンパー性を向上させることが可能な構造である。
【００５４】
次に、第２の実施形態について、図８を参照して説明する。
【００５５】
第２の実施形態は、第１の実施形態において、信号保護線パターン３、４に定電圧ではなく、動的に変化する電圧を印加するようにしたものである。
【００５６】
なお、第２の実施形態において、第１の実施形態と同様の機能を果たす要素については同一の番号を付し、主に第１の実施形態と異なる部分について説明する。
【００５７】
図８は、ＦＰＣ１が、情報処理装置内の第１のユニット３０’と第２のユニット３１’を接続するために使用されている例を示している。
【００５８】
図８に示すように、ＦＰＣ１ａは、信号保護線パターン３、４の一方の端部に、電源１５の替わりにＦＰＣ制御部１０ａが接続されている。
【００５９】
この構成では、ＦＰＣ制御部１０、１０ａが電源を兼ねており、動的に変化する電圧波形を出力する。
【００６０】
ＦＰＣ制御部１０、１０ａのうち、電圧波形が入力された側は、電圧波形が出力時と同じかどうかを比較する。ここで、不正接続が試みられると、電圧波形はそのまま伝わらず、出力時とは異なった波形として検出されるため、ＦＰＣ制御部１０、１０ａの検知部２１（図２参照）は、この波形の変化を電位の変化として検知することができる。
【００６１】
このように、信号保護線パターン３、４に印加する電圧は定電圧に限定されず、動的に変化する電圧でもよい。
【００６２】
なお、上記第２の実施形態では、ＦＰＣ制御部を情報処理装置の制御部とは別に設けているが、ＦＰＣ制御部を別に設けず、情報処理装置の制御部の一部としてもよい。
【００６３】
このように、第２の実施形態によれば、ＦＰＣ１ａは、バス信号やデータ信号などの通信信号が入力される信号線パターン２と、信号線パターン２に対向するように設けられ、信号線パターン２と同じ幅、もしくは信号線パターン２よりも広い幅を有する信号保護線パターン３、４を有し、ＦＰＣ制御部１０、１０ａは、信号保護線パターン３、４に接続され、信号保護線パターン３、４の電位の変化を検知し、不正接続を監視し、不正接続が試みられると、信号保護線パターン３、４が物理的に接続を阻むか、もしくはＦＰＣ制御部１０、１０ａの検知部２１が信号保護線パターン３、４の電位の変化を検知し、不正接続情報生成部２３が不正接続情報を生成する。
【００６４】
従って、第１の実施形態と同様の効果を奏する。
【００６５】
次に、第３の実施形態について、図９を参照して説明する。
【００６６】
第３の実施形態は、第１の実施形態において、隣り合う信号保護線パターン同士で異なる電位を与えるように構成したものである。
【００６７】
なお、第３の実施形態において、第１の実施形態と同様の機能を果たす要素については同一の番号を付し、主に第１の実施形態と異なる部分について説明する。
【００６８】
図９に示すように、第３の実施形態に係るＦＰＣ１ｂは、隣り合う信号線パターン２ａ、２ｂの両面に対向するようにして、それぞれ信号保護線パターン３、４が設けられている。
【００６９】
ここで、信号線パターン２ａは上面側に信号保護線パターン３が、下面側に信号保護線パターン４が設けられているが、信号線パターン２ｂは上面側に信号保護線パターン４が、下面側に信号保護線パターン３が設けられている。
【００７０】
即ち、信号保護線パターン３、４は、隣り合う信号線パターン２ａ、２ｂで配置が逆になっており、ＦＰＣ１ｂは隣り合う信号保護線パターン同士で異なる電位を与えるように構成されている。
【００７１】
信号保護線パターン３、４をこのように配置することにより、隣り合う信号保護線パターン同士の不正接触を検知することも可能となり、さらにセキュリティの度合いを高められる。
【００７２】
このように、第３の実施形態によれば、ＦＰＣ１ｂは、バス信号やデータ信号などの通信信号が入力される信号線パターン２ａ、２ｂと、信号線パターン２ａ、２ｂに対向するように設けられ、信号線パターン２ａ、２ｂと同じ幅、もしくは信号線パターン２ａ、２ｂよりも広い幅を有する信号保護線パターン３、４を有し、信号保護線パターン３、４に接続され、信号保護線パターン３、４の電位の変化を検知し、ＦＰＣ制御部１０は、不正接続を監視し、不正接続が試みられると、信号保護線パターン３、４が物理的に接続を阻むか、もしくはＦＰＣ制御部１０の検知部２１が信号保護線パターン３、４の電位の変化を検知し、不正接続情報生成部２３が不正接続情報を生成する。
【００７３】
従って、第１の実施形態と同様の効果を奏する。
【００７４】
また、第３の実施形態によれば、ＦＰＣ１ｂは、隣り合う信号保護線パターン同士で異なる電位を与えるように構成されている。
【００７５】
そのため、ＦＰＣ１ｂは、隣り合う信号保護線パターン同士の接触を検知することも可能であり、第１の実施形態と比較してさらにセキュリティの度合いを高められる。
【００７６】
なお、上記第３の実施形態では、ＦＰＣ制御部を情報処理装置の制御部とは別に設けているが、ＦＰＣ制御部を別に設けず、情報処理装置の制御部の一部としてもよい。
【００７７】
次に、第４の実施形態について、図１０および図１１を参照して説明する。
【００７８】
第４の実施形態は、第１の実施形態に係るＦＰＣ１を情報処理装置１００に適用したものである。
【００７９】
なお、第４の実施形態において、第１の実施形態と同様の機能を果たす要素については同一の番号を付し、主に第１の実施形態と異なる部分について説明する。
【００８０】
図１０に示すように、第４の実施形態に係る情報処理装置１００は例えばクレジットカード決済端末であり、クレジットカード等のカードを読み取るカード読取部１１５と、出入金額や暗証番号を入力するテンキー等のキー入力部１１７と、操作画面を表示する表示部１１９と、決済内容を印刷する印字部１２１と、外部との通信用の通信部１１３と、これらの要素と接続され、要素の動作を制御する情報処理装置制御部１１１とを有している。
【００８１】
図１１に示すように、情報処理装置制御部１１１は第１のユニット３０’’と第２のユニット３１’’とで構成されており、第１のユニット３０’’と第２のユニット３１’’はＦＰＣ１で接続されている。ＦＰＣ制御部１０（図示せず）は、情報処理装置制御部１１１の一部として設けられている。
【００８２】
このように、情報処理装置１００、特に決済端末のような個人の情報、特に金銭や財産に関わる情報を直接取り扱う情報処理装置の部材の接続にＦＰＣ１を用いることにより、高度なセキュリティを確保することができる。
【００８３】
具体的には、例えば、ＦＰＣ１のＦＰＣ制御部１０（図２参照）が外部からの不正接続を検知した場合、即ち、信号保護線パターン３、４の電位の変化を検知した場合、ＦＰＣ１のＦＰＣ制御部１０は、不正接続情報を生成して情報処理装置制御部１１１に対して送信する。不正接続情報を受信した情報処理装置制御部１１１は、動作を停止する処理や、情報処理装置１００が有する重要情報（顧客情報等）を消去する処理を行う。
【００８４】
従って、第１の実施形態と同様の効果を奏する。
【００８５】
なお、上記第４の実施形態では、ＦＰＣ制御部を情報処理装置制御部の一部としたが、ＦＰＣ制御部を情報処理装置の制御部とは別に設けてもよい。
【００８６】
また、上記第１〜４の実施形態では、フレキシブルプリントケーブルが、耐タンパー性を要求される領域内の信号線パターンの上下の面に、前記信号線パターン２と同じ幅、もしくは前記信号線パターンよりも広い幅を有する信号保護線パターンを有しているが、外部からの不正な接続の試みが片面側からしか行われないことが明白な場合は、耐タンパー性を要求される領域内の信号線パターンの上下の面のいずれかのみに、前記信号線パターン２と同じ幅、もしくは前記信号線パターンよりも広い幅を有する信号保護線パターンを有するようにしてもよい。
【産業上の利用可能性】
【００８７】
上記した実施形態では、本発明を情報処理装置１００に適用した場合について説明したが、本発明は何らこれに限定されることはなく、フレキシブルプリントケーブルを用いて通信を行う全ての電子機器に適用できる。
【００８８】
また、上記した実施形態では、信号線パターン２の両面に信号保護線パターンを設け、それぞれに電圧を印加したが、外部からの不正な接続の試みが片面側からしか行われないことが明白な場合は、反対側の信号保護線パターンは接地部と接続するようにしてもよい。
【００８９】
上記した実施形態の一部または全部は、以下の付記のようにも記載されうるが、以下には限られない。
【００９０】
（付記１）
通信信号が入力される信号線パターンと、前記信号線パターンの上下の面に対向するように設けられ、前記信号線パターン２と同じ幅、もしくは前記信号線パターンよりも広い幅を有する信号保護線パターンとを有するフレキシブルプリントケーブルであって、耐タンパー性を要求される領域内の前記信号線パターンに沿って前記信号保護線パターンが設けられていることを特徴とするフレキシブルプリントケーブル。
【００９１】
（付記２）
付記１に記載のフレキシブルプリントケーブルを備える情報処理装置であって、
前記信号保護線パターンの電位の変化を検知する検知部と、前記検知部に接続され、前記検知部が前記電位の変化を検知すると、不正接続が行われたことを通知する不正接続情報を生成する不正接続情報生成部と、を備える制御部を有することを特徴とする情報処理装置。
【００９２】
（付記３）
前記不正接続情報を受信すると、前記信号線パターンに接続されたユニットの動作を停止する処理および／または自身が有する重要情報を消去する処理を行うことを特徴とする情報処理装置。
【００９３】
（付記４）
前記信号保護線パターンに接続され、前記信号線パターンとは異なる電圧を前記信号保護線パターンに印加する電源と、
前記信号保護線パターンに接続され、前記信号保護線パターンを接地する接地部と、
前記信号保護線パターンに接続され、前記信号保護線パターンの電位を調整する抵抗部と、
を有することを特徴とする付記２もしくは３に記載の情報処理装置。
【００９４】
（付記５）
前記信号保護線パターンは、前記信号線パターンの一方の面に対向するように設けられた第１の信号保護線パターンと、
前記信号線パターンの他の面に対向するように設けられた第２の信号保護線パターンと、
を有し、
前記第１の信号保護線パターンと、前記第２の信号保護線パターンは、互いに異なる電位を有するように構成されていることを特徴とする付記２〜４のいずれかに記載の情報処理装置。
【００９５】
（付記６）
前記第１の信号保護線パターンは、第１の電源側抵抗素子を介して前記電源と接続され、第１の接地側抵抗素子を介して前記接地部と接続され、
前記第２の信号保護線パターンは、第２の電源側抵抗素子を介して前記電源と接続され、第２の接地側抵抗素子を介して前記接地部と接続されていることを特徴とする付記５記載の情報処理装置。
【００９６】
（付記７）
前記第１、第２の電源側抵抗素子と、前記第１、第２の接地側抵抗素子は、前記第１の信号保護線パターンの、前記第１の電源側抵抗素子と前記第１の接地側抵抗素子の間の電位が、前記第２の信号保護線パターンの、前記第２の電源側抵抗素子と前記第２の接地側抵抗素子の間の電位よりも前記接地部の電位に近い値になるような電気抵抗値を有することを特徴とする付記６記載の情報処理装置。
【００９７】
（付記８）
前記信号線パターンは複数設けられ、
前記電源は、隣接する前記信号保護線パターン同士で異なる電位を印加することを特徴とする付記２〜７のいずれかに記載の情報処理装置。
【００９８】
（付記９）
前記第１の信号保護線パターンと前記第２の信号保護線パターンは、隣接する前記信号線パターンで逆に配置されていることを特徴とする付記８記載の情報処理装置。
【００９９】
（付記１０）
前記電源は、定電圧を印加する電源であることを特徴とする付記２〜９のいずれかに記載の情報処理装置。
【０１００】
（付記１１）
前記電源は、動的に変化する電位を印加する電源であることを特徴とする付記２〜９のいずれかに記載の情報処理装置。
【０１０１】
（付記１２）
前記第２の信号保護線パターンは前記接地部と接続されていることを特徴とする付記４に記載の情報処理装置。
【０１０２】
（付記１３）
前記信号線パターンおよび前記信号保護線パターンを隔てるように、かつ覆うように設けられた絶縁層を有することを特徴とする付記１に記載のフレキシブルプリントケーブル。
【０１０３】
（付記１４）
通信信号が入力される信号線パターンと、
前記信号線パターンの上下の面のいずれかのみに対向するように設けられ、前記信号線パターン２と同じ幅、もしくは前記信号線パターンよりも広い幅を有する信号保護線パターンとを有するフレキシブルプリントケーブルであって、
耐タンパー性を要求される領域内の前記信号線パターンに沿って前記信号保護線パターンが設けられていることを特徴とするフレキシブルプリントケーブル。
【符号の説明】
【０１０４】
１      ＦＰＣ
１ａ    ＦＰＣ
１ｂ    ＦＰＣ
２      信号線パターン
２ａ    信号線パターン
２ｂ    信号線パターン
３      信号保護線パターン
４      信号保護線パターン
５      絶縁層
６      コネクタ端子
１０    ＦＰＣ制御部
１０ａ  ＦＰＣ制御部
１１    第１の電源側抵抗素子
１２    第２の電源側抵抗素子
１３    第１の接地側抵抗素子
１４    第２の接地側抵抗素子
１５    電源
１７    接地部
２１    検知部
２３    不正接続情報生成部
２４    通信線
３０  ３０’  ３０’’    第１のユニット
３１  ３１’  ３１’’    第２のユニット
１００  情報処理装置
１０１  端子
１０２  端子
１０３  端子
１０４  端子
１１１  情報処理装置制御部
１１３  通信部
１１５  カード読取部
１１７  キー入力部
１１９  表示部
１２１  印字部
【図１】
2013020704.tif 000003
【図２】
2013020704.tif 000004
【図３】
2013020704.tif 000005
【図４】
2013020704.tif 000006
【図５】
2013020704.tif 000007
【図６】
2013020704.tif 000008
【図７】
2013020704.tif 000009
【図８】
2013020704.tif 000010
【図９】
2013020704.tif 000011
【図１０】
2013020704.tif 000012
【図１１】
2013020704.tif 000013
【手続補正書】
【提出日】平成24年6月21日(2012.6.21)
【手続補正１】
【補正対象書類名】特許請求の範囲
【補正対象項目名】全文
【補正方法】変更
【補正の内容】
【特許請求の範囲】
【請求項１】
通信信号が入力される信号線パターンと、
前記信号線パターンの上下の面に対向するように設けられ、前記信号線パターンと同じ幅、もしくは前記信号線パターンよりも広い幅を有する信号保護線パターンとを有するフレキシブルプリントケーブルであって、
耐タンパー性を要求される領域内の前記信号線パターンに沿って前記信号保護線パターンが設けられていることを特徴とするフレキシブルプリントケーブル。
【請求項２】
請求項１に記載のフレキシブルプリントケーブルを備える情報処理装置であって、
前記信号保護線パターンの電位の変化を検知する検知部と、
前記検知部に接続され、前記検知部が前記電位の変化を検知すると、不正接続が行われたことを通知する不正接続情報を生成する不正接続情報生成部と、
を備える制御部を有することを特徴とする情報処理装置。
【請求項３】
前記不正接続情報を受信すると、前記信号線パターンに接続されたユニットの動作を停止する処理および／または自身が有する重要情報を消去する処理を行うことを特徴とする請求項２記載の情報処理装置。
【請求項４】
前記信号保護線パターンに第１の抵抗部を介して接続され、前記信号線パターンとは異なる電圧を前記信号保護線パターンに印加する電源と、
前記信号保護線パターンに第２の抵抗部を介して接続され、前記信号保護線パターンを接地する接地部と、
を有することを特徴とする請求項２もしくは３に記載の情報処理装置。
【請求項５】
前記信号保護線パターンは、前記信号線パターンの一方の面に対向するように設けられた第１の信号保護線パターンと、
前記信号線パターンの他の面に対向するように設けられた第２の信号保護線パターンと、
を有し、
前記第１の信号保護線パターンと、前記第２の信号保護線パターンは、互いに異なる電位を有するように構成されていることを特徴とする請求項４に記載の情報処理装置。
【請求項６】
前記第１の信号保護線パターンは、前記第１の抵抗部の一つである第１の電源側抵抗素子を介して電源と接続され、前記第２の抵抗部の一つである第１の接地側抵抗素子を介して接地部と接続され、
前記第２の信号保護線パターンは、前記第１の抵抗部の一つである第２の電源側抵抗素子を介して前記電源と接続され、前記第２の抵抗部の一つである第２の接地側抵抗素子を介して前記接地部と接続され、
前記第１、第２の電源側抵抗素子と、前記第１、第２の接地側抵抗素子は、
前記第１の信号保護線パターンの、前記第１の電源側抵抗素子と前記第１の接地側抵抗素子の間の電位が、前記第２の信号保護線パターンの、前記第２の電源側抵抗素子と前記第２の接地側抵抗素子の間の電位よりも前記接地部の電位に近い値になるような電気抵抗値を有することを特徴とする請求項５記載の情報処理装置。
【請求項７】
前記信号線パターンは複数設けられ、
隣接する前記信号保護線パターン同士で異なる電位が印加されるように構成したことを特徴とする請求項２〜６のいずれか一項に記載の情報処理装置。
【請求項８】
前記電源は、定電圧または動的に変化する電圧を印加する電源であることを特徴とする請求項４に記載の情報処理装置。
【請求項９】
前記信号線パターンおよび前記信号保護線パターンを隔てるように、かつ覆うように設けられた絶縁層を有することを特徴とする請求項１に記載のフレキシブルプリントケーブル。
【請求項１０】
通信信号が入力される信号線パターンと、
前記信号線パターンの上下の面のいずれかのみに対向するように設けられ、前記信号線パターンと同じ幅、もしくは前記信号線パターンよりも広い幅を有する信号保護線パターンとを有するフレキシブルプリントケーブルであって、
耐タンパー性を要求される領域内の前記信号線パターンに沿って前記信号保護線パターンが設けられていることを特徴とするフレキシブルプリントケーブル。
【請求項１１】
請求項１０に記載のフレキシブルプリントケーブルを備える情報処理装置であって、
前記信号保護線パターンの電位の変化を検知する検知部と、
前記検知部に接続され、前記検知部が前記電位の変化を検知すると、不正接続が行われたことを通知する不正接続情報を生成する不正接続情報生成部と、
を備える制御部を有することを特徴とする情報処理装置。